(57)【要約】【課題】  磁石の磁力（強度因子）を力学的エネルギー化、また電気エネルギー化（強度因子×容量因子）する。【解決手段】  磁石の磁極が同極（Ｎ極とＮ極）においても吸引現象を起こす方法を構成し、磁力の反転サイクルを熱現象を通して起こし、磁力を力学的エネルギー、また電気エネルギー化する。また、Ｎ極、Ｓ極の単極磁極を長く構成し、これをコイルで囲み、相互間の平行移動により起電力を発生させる方法と装置。【選択図】  図１
2006034081.tif 000002
【特許請求の範囲】
【請求項１】
熱により磁力が変化する熱反応作業物質（感温磁性材）、強磁場により熱反応を起こす磁気冷凍作業物質（磁気冷凍磁性材）、または軟質磁性材等を磁石の磁極部分（仮にＮ極として）に設け熱反応複合磁極を構成し、該磁極部分をＯ磁極２４とし、同じ極性（Ｎ極）の磁石を相対させ磁極間を縮めると反発力が吸引力に反転する、該Ｎ極とＮ極の相対間隔内をＳ領域３とし、外部を断熱したＳ領域３内でＯ磁極２４に挟まれた空間に冷媒を入れ、主に上記、吸引力を持って断熱圧縮し温度を上げてＯ磁極２４のキュリー温度で磁気スピンを配向変化させ、吸引力を反発力に反転し断熱膨張を行いＯ磁極部分の温度を元の状態に戻す、Ｓ領域内で磁石の同極による吸引力と反発力を用いて冷凍サイクルを行い，Ｏ磁極部分の温度変化による磁気の反転サイクルを行う事を特徴とした、磁力を力学的エネルギーに変換する方法。
【請求項２】
磁石のＮ極またはＳ極に磁性材１７を付け、またはＮ極とＮ極、Ｓ極とＳ極の間にコイル幅より長い磁性材１７を挟みＮ極またはＳ極の単極磁極を構成し、磁極側面より垂直方向に放射状の磁束による単極磁場を作り、該単極磁極をコイル７で囲い、また筒状コイルを磁性材で囲うか磁性材を付加したコイルを、単極磁極に添って平行移動、あるいはコイルに添って単極磁極（磁場）を平行移動し、コイルに誘導起電力を発生させた電流によりコイルに磁束を発生させて移動を継続し磁力を電気エネルギーに変換する。該方法と請求項１記載の方法を組み合わせ磁力を力学的エネルギー、電気エネルギーに変換する方法と装置。
【請求項３】
回転体の円周部分に設けた磁石の磁極（仮にＮ極）と、相対する外部磁石を同じ磁極（Ｎ極）にして接近させ、該相対接近部の左右いずれかに請求項１記載のＯ磁極２４とＳ領域を構成し、該Ｓ領域内でＮ極とＮ極の反発力を吸引力に変えた力により回転体を回しＳ領域外に移動し、外部磁石Ｎ極の反発力により継続的に動かす、請求項１記載のＯ磁極とＳ領域を回転磁場に設けた事を特徴とし、磁力を力学的エネルギーに変換し、請求項２記載の方法を組合わせ磁力を電気エネルギーに変換する方法と装置。
【請求項４】
熱反応作業物質、磁気冷凍作業物質、フェライト、熱伝導性素材等で構成する熱反応複合磁性材１９を断熱的に囲い、これを強い磁場内で発熱させキュリー温度まで高温にし、熱反応複合磁性材の磁気作用を弱めて強磁場外に移動し、断熱消磁状態にして元の温度状態に戻す、該磁気作用により発熱現象が起きるまでの時差を基に、強磁場の入口付近を低温状態にし、出口付近は高温状態を保つよう移動速度を調整２０し、強磁場の入口と出口部分に温度落差による磁気的落差を作り力学的エネルギーに変換し、該移動磁場に請求項２記載の方法を組合わせ磁力を電気エネルギーに変換する方法と装置。
【請求項５】
前記、請求項１記載のＯ磁極２４、請求項４記載の熱反応複合磁性材１９を熱伝導を促進する薄い素材の多層構造として、Ｓ領域の磁気作用範囲を延長する相対磁極の凹凸形状またはスライド構造に用いたＯ磁極と熱反応複合磁性材の構造。
【発明の詳細な説明】
【技術分野】
【０００１】  本発明は、磁力を力学的エネルギー、電気エネルギーに変換する方法と装置に関する。
【背景技術】
【０００２】  従来の技術では、磁石の持つ磁力（強度因子）のみで連続的に力学的エネルギー、電気エネルギーに変換する方法はなく、磁力のエネルギー化に当っては通常外部的エネルギーが与えられて電気エネルギー、力学的エネルギーに変換される。例えば、水力発電は水力のもつ位置エネルギー、運動エネルギーが発電機のローターを回転し磁気回路（磁束）を変動し、磁力を電気エネルギーに変換する。また、熱エネルギーを利用する火力発電、原子力発電なども高温、高圧、高速の熱エネルギー流体を基に力学的エネルギーとしてタービンを回転し、発電機の磁場に磁気的変動を与え電気エネルギーに変換する。また、ＭＨＤ発電は熱エネルギー流体を直接使用し磁場に磁気的変動を与え発電する。その他太陽光、風力、地熱、水素、バイオ、海洋温度差、潮汐など多くのエネルギー源を開発している。また磁石の持つ磁力（強度因子）のエネルギー化についても数多く研究されており、エネルギー密度が高く、環境に優しく安価で簡便な磁力を力学的エネルギーに変換する理論と技術は未完成であり現状では困難な分野とされていた。また磁力を電気エネルギーに変換する方法においては、主に磁場内を磁石とコイルが断続的に鎖交移動する方法により起電力を発生させている。【０００３】  本出願に関連する磁力を用いたエネルギー変換方法と装置の文献。（例えば、特許文献１参照。特許文献２参照。非特許文献１参照）【０００４】
【特許文献１】特開昭５９−２２６２８５号
【特許文献２】特許願平１５−２００３−１１３４７６号
【非特許文献１】社団法人発明協会、永久機関の夢と現実、特許庁審判官後藤正彦著昭６３，１月、ｐ．１９６−２０３
【発明の開示】
【発明が解決しようとする課題】
【０００５】  新エネルギー開発は最重要課題であり、開発に当っては莫大な資金を投入してエネルギー源と変換方法を研究している。【０００６】  本発明は、エネルギー密度が高い磁石と特性の異なる各種磁性材を組合わせ、また磁気的変化（磁力の反転現象）と熱現象を組合わせて創作した方法と装置であり、強磁場の磁石が同じ磁極同士吸引する不測の現象を確認（Ｓ領域３の構成）した、この現象を用いて外部から特にエネルギーを与えず熱力学的現象を活用し、磁石間に吸引、反発現象をサイクルさせて磁力を力学的エネルギーに変換する。また、強磁場により熱反応を起こす磁気冷凍作業物質（磁気冷凍磁性材）を利用し、熱的変化を内部に発生させて磁気的変化を起こし力学的エネルギーに変換する。また、単極磁場を構成し磁極方向にコイルを平行移動させる方法は移動時の抵抗が非常に小さく、磁力（磁気）を効率よく直流、交流の電気に変換できる方法と装置であり、これら磁力変換を行う基本的な原理を要約すると、エネルギーは「強度因子と容量因子の積」で示される。従って、強度因子の磁力を継続的に変動する容量因子を作る事でエネルギー変換が成立する。普通磁力（強度因子）は作業物体を吸引または反発させて一方向へ移動（容量因子）し仕事（強度因子×容量因子）をするが、現状の方法と技術では移動体を元の状態に戻す事ができない負の要因が残り、動力機関の基本的条件である元の位置に戻す循環サイクルは不可能である。また、元に戻す移動には同等か、それ以上のエネルギー（強度因子×容量因子）が必要である事をエネルギー保存則は示し、磁力の変換は理論上、上記の理由で不可能視されていた。
【課題を解決するための手段】
【０００７】  本発明は、磁石の磁極に各種磁性材の特性を組合わせた構成により、同じ磁極同士（例えば、Ｎ極とＮ極、Ｓ極とＳ極〉が吸引現象を起こす方法と構造を創作したもので、この吸引現象を用いて冷凍サイクルの圧縮行程を行い、冷媒による温度上昇を持って磁性材に磁気スピン変化を起こし、吸引力を反発力に反転させて膨張行程を行うサイクルを特徴とし、磁気現象と熱現象を交互に起こし磁力を力学的エネルギーに変換する。また、強磁場を用いた磁気冷凍現象において磁気冷凍作業物質１１は磁気作用後に発熱現象を起こす、この時の時差を基に、磁気冷凍作業物質１１の移動に於て強磁場の入口領域では低温で磁気作用を強く、出口領域で高温状態を保ち磁気作用が弱くなるよう移動速度を調節２０し、強磁場の入口と出口の温度落差を磁気的落差として強磁場内を移動させ力学的エネルギーに変換する。また磁石の単極（Ｎ極またはＳ極）を長い単極磁場にして、これをコイルで囲いコイル又は磁場を磁極方向に添って平行移動し容易に起電力を発生させる等、不測の自然現象を基本にして、これらを組合わせた方法と装置を創作し磁力を力学的エネルギー、電気エネルギーに変換する。
【発明の効果】
【０００８】  本発明は、上記、特許請求項で示した磁石とＯ磁極とＳ領域を組合わせた構成により磁気作用の反転現象を容量因子の要素とし、また磁力で行う断熱的系内の逆カルノーサイクルによる温度変化、強い磁気作用による磁気冷凍磁性材の温度変化、また、磁気作用と熱現象の間に生じる現象の時差を利用し磁気的落差を発生させ、容量因子の要素として構成した方法と装置であり、外部からエネルギーを与えて変換する装置とは異なり、エネルギー源（強度因子）を内部に持つ磁石の磁力（安定した永続的な強度因子）と、磁力に対応する磁性材の力学的現象、熱的現象を基に磁気的変動（容量因子）を連続的にサイクルさせる方法と装置である。従来、不可能視されていた磁力の変換サイクル（強度因子×容量因子）を可能にし、また、磁極を単極の長いＮ極、Ｓ極に構成し、該磁極をコイル７で囲い相対させた片方を平行移動し磁力を電気エネルギーに変換する。この単極スライド電磁誘導発電方法は高効率を示す、上記のように発明は安定した電力を供給するクリーンエネルギー変換方法と装置であり、エネルギーに関連する諸問題を解決する。
【発明を実施するための最良の形態】
【０００９】  〔図１〕に於て、磁力を力学的エネルギーに変換する基本原理と方法を示す。従来の電磁気学で云う「磁石の同じ磁極同士は反発する」と云う定説に対して、強い磁石の磁極部分に特定の磁性材（感温磁性材、磁気冷凍磁性材、フェライト、軟質磁性材）等を組合わせた複合磁極（以下この磁極部分を「Ｏ磁極」２４と呼称する）を構成し、Ｏ磁極を仮にＮ極とし、これに相対する磁石のＮ極同士は離れた間隔に於て反発しているが、狭い間隔の特定領域内で突然強い吸引力に反転する現象を起こす。この同極同士が吸引現象に変わる相対間の距離範囲（以下、この特定領域内を「Ｓ領域」３と呼称する）を基に、Ｓ領域３内でＯ磁極２４のＮ極同士の強い吸引力により断熱的な系内の冷媒を圧縮して高温度を作り、この熱をＯ磁極２４のキュリー温度領域に伝え、磁気スピンに配列変化を起こし吸引力をＮ極同士の反発力に反転する。この反発力で断熱膨張を行い圧縮時にＯ磁極２４のキュリー温度領域に与えた熱を回収し、Ｏ磁極２４の温度を元の状態に戻して吸引力を復活させる。Ｓ領域内（閉鎖系）で磁力を用いて冷凍サイクルを行う手段により磁気的変化と熱的変化を連続してサイクルし、磁力を力学的エネルギーに変換し、また、磁石の単極（Ｓ極）にコイル７を相対させ片方を平行移動して磁力を電気エネルギーに変換する。【０００１０】  従来、熱源を伴うエネルギー変換は、理論上、主にカルノーサイクルによって説明され、投入する熱量と仕事に変換された熱量比により機関の変換効率が決まる。本発明の方法は基本的には外部からのエネルギー投入がなく、逆カルノーサイクルを基本に断熱系内（完全断熱でない閉鎖系）の冷媒がもつ一定の熱量を活用し、磁力により圧縮、膨張を行い温度変化のサイクルを磁性材に起こし、磁石の持つ持続的な磁力＝磁気（強度因子）に変動を与え磁力を力学的エネルギーに変換する。これを図１、図５に付いて述べる。まづ図１のＯ磁極２４に挟まれたＳ領域内の冷媒はＮ極、Ｎ極の吸引力により断熱系５内で圧縮され、図５温度Ｔ１からＴ２に温度上昇する。この温度上昇はＯ磁極２４の熱反応作業物質１２に伝達されキュリー温度に達すると吸引力が消滅し反発力に反転する。次に膨張してＴ２からＴ１の元の温度状態に戻る逆カルノーサイクル２１を閉鎖系２８内で起こす、逆カルノーサイクルに於ては系内の冷媒は熱量を消費しない状態で温度変化のみを連続的に繰り返す。従って、断熱系内の熱移動は冷媒に接触しているＯ磁極２４部分が蓄熱体として機能し、熱を吸収して高温Ｔ２になり放出して低温Ｔ１になる温度サイクル２２を繰り返す、この手段を基本にＯ磁極２４部分に磁気的変化を起こし、相対するＮ極同士の磁力を力学的エネルギーに変換するが、外部から温熱、冷熱を与えてもこの方法は有効に作用する。また動的部分３１を単極磁極（磁場）Ｓとしてコイル７で囲い磁極Ｓの平行移動によりコイルに起電力を発生させ、また固定コイル１８に起電力を発生させる。【０００１１】  図２に於て、強い磁石１の磁極（仮にＮ極）と回転体１６の円周周辺に磁石１０を同じ磁極（Ｎ極）にして相対接近させて配置し、このＮ極、Ｎ極が接近する円周右側磁石１に磁性材１７を設けて前記Ｓ領域を構成し、この位置に於てＮ極、Ｎ極同士は吸引し合う、この吸引力をクランク機構８、１４により回転力にし、回転体（はずみ車）１６、２６を動かし磁石１０の位置を左側Ｓ領域外にずらし、外部磁石１のＮ極との反発力により回転体１６を連続回転し、次のＳ領域内において吸引力を発生させる。図２は回転方法の一部分を示すものでＳ領域３を複数設けて構成し、磁気的反転現象を連続的にサイクルさせ磁力を力学的エネルギーに変換し、コイル７で単極の運動磁極８（Ｓ）を囲み請求項２記載の方法により電気エネルギーに変換する。【０００１２】  図３、図４（図３の部分拡大図）に於て、主に磁気冷凍作業物質１１、熱反応作業物質１２などを持って構成した熱反応複合磁性材１９を断熱的５に囲い、強磁場２５内で磁気冷凍作業物質１１に磁気スピンの配列変化を起こし、発熱させた熱を熱反応作業物質１２のキュリー温度領域に伝え、熱反応複合磁性材１９全体の磁気作用を弱めて容易に強磁場２５外に移動し断熱消磁を行い、先に熱反応作業物質１２等に与えた熱を磁気冷凍作業物質１１が内部で回収し熱反応複合磁性材１９の温度を元の状態に戻し、吸引力を復活させて次の強磁場内２５に移動させる。強磁力を持って熱反応複合磁性材１９内部に磁気的変化に伴う温度サイクルを起こし、強磁場の入口に於ては低温に、出口部分は高温になるよう移動速度を調整２０し、熱反応複合磁性材１９に温度差による磁気落差を発生させて強磁場内を移動し力学的エネルギーに変換する。また、強磁場の入口領域にコイル７を設け熱反応複合磁性材１９を囲み、この中を該複合磁性材１９の放射状磁場が移動し磁力を電気エネルギーに変換する。【０００１３】  上記に示したように、「エネルギー＝強度因子×容量因子」の強度因子（磁力）のエネルギー化はＯ磁極２４の構成と、Ｓ領域３内の吸引現象と、冷凍サイクルによる温度変化、また磁性材内部の温度変化による磁気的エントロピー変化、また、磁気現象と熱現象の時差、また、単極の延長磁極をコイルで囲み相対スライド移動方法など複数の基本的な物理的現象を組合わせて創作した方法と装置により、磁力（強度因子）を力学的エネルギー、電気エネルギーに変換する。
【実施例】
【０００１４】  発明の実施例１、図面１を参照にして説明する。強力な磁石１の磁極に熱反応作業物質１２（キュリー温度２０℃前後に設定するがこの温度は任意に構成できる）を付け、この磁極部分を「Ｏ磁極」２４とする熱反応複合磁極を構成する。ここでＯ磁極２４の極性をＮ極とすると反対側はＳ極となる。又上下の相対する磁石は同じ凹凸構造で極性もＮ極、Ｎ極として設定する。このＯ磁極２４の構成をもって相対する二つのＮ極とＮ極の間を縮めて行くと、ある狭い間隔に達すると突然反発力が吸引力に反転し、二つの磁石が吸着する新しい現象を確認した。この不測の現象を起こすＮ極とＮ極の間隔内を「Ｓ領域」３とした。【０００１５】  Ｓ領域３内での吸引力は磁石の強さに比例し間隔に反比例する。従ってＳ領域３の移動範囲を大きくするための構造として、相対する凹凸形状とその角度により移動範囲を調節し、冷媒に必要な容積に対応する。【０００１６】  Ｓ領域３内で起きる吸引力を持って、断熱材５に囲まれたＳ領域３内の空間内の気体冷媒４を圧縮し、Ｏ磁極２４を構成する熱反応作業物質１２のキュリー温度まで温度上昇を行い、圧縮行程の死点においてストッパー９を掛けて熱平衡を行う。熱によりＯ磁極２４熱反応作業物質１２の磁気スピン配列を変化させるとＮ極とＮ極は反発力となり、この時点でストッパー９を解除して膨張行程に移行する。冷媒４は圧縮行程でＯ磁極２４部分に与えた熱を回収しＯ磁極２４部分を最初の温度状態に戻すと、磁気スピンの配列方向も元に戻り吸引力が復活する。上記のようにＳ領域３内の磁力で冷凍サイクルを継続させるが、断熱系（閉鎖系）のため外部からの熱量収支（エネルギー収支）の変化は少なく、断熱系内の冷媒が状態変化を起こす現象を利用し磁気的変化を起こす。即ち、物理的にはＳ領域内で「磁気系の吸引力→熱系の高温→磁気系の反発力→熱系の低温→」の現象を起こし、磁気系と熱系のサイクルを構成して磁力を変換（エネルギー化）する。【０００１７】  構成において、相対するＯ磁極２４の凹凸形状の角度を変える事によりＳ領域３の相対移動距離を調節し、また気体冷媒が必要な空間容積を多孔１３構造にして全体の容積を調節し、且つ薄く波状にし熱伝導面積を大きくして熱伝達を迅速に行い変換効率を向上させる。この空間容積はＯ磁極２４の温度変化に必要な冷媒４の気体容積、即ち、冷媒の熱容量に相当する。【０００１８】  冷媒の一例として、メチレンクロライドを使用した時、圧縮時の凝縮圧力は約１０Ｐａと低く、Ｓ領域３内で得られる吸引力は約２０Ｐａ〜以上を発生するため冷媒の凝縮圧力は容易に得られる。また冷媒液の蒸発圧力は約２，４Ｐａ以下で蒸発するため断熱系内での圧縮、膨張は磁力による吸引力と反発力を持って容易に行う事ができる。また冷媒の凝縮温度は約４０℃、蒸発温度は約５℃で比較的低温度の範囲内で凝縮、蒸発のサイクルが可能である。従って、この温度領域を基に熱反応作業物質１２のキュリー温度（一例としてガドリニウム、キュリー点約２０℃）を設定する。また圧縮時の温度は４０℃以上が得られるためキュリー温度（約２０℃前後）との温度差は充分あり熱交換は容易に行なわれる。また熱反応作業物質１２がスピン変化を起こすために必要な熱量は��メチレンクロライドの冷凍能力が約３１５ＫＪ／Ｋｇと大きく、かつ冷媒の成績係数（ＣＯＰ）は７．２と大きく圧縮エネルギー（Ｎ極Ｎ極の吸引力）が有利に使える。この熱量に相当する熱反応作業物質１２をＯ磁極２４部分に使用し熱変化と磁気変化を行うが、変換効率は磁力の強さと熱反応作業物質１２の特性と冷凍サイクルの熱伝導（熱交換）の速さに比例し、冷媒の能力により決まる。また、磁力変換のエネルギー収支は、圧縮に消費するエネルギーはＳ領域内の吸引力（磁力）を持って行い冷媒の熱エネルギーに変換され、膨張過程の反発力（磁力）が主に力学的エネルギーまたは電気エネルギーに変換される。【０００１９】  実施例２、正面図２によって説明する。図において外部固定磁石１の内側に磁性材１７を付けＯ磁極２４Ｎ極とし、内側の回転軸１５を中心にした重いハズミ車２６の円形回転体１６にクランク軸１４、クランクシャフト８を設け、その先端に外周側をＮ極とした磁石１０を付け、クランクシャフト８を伸ばし、外部磁石１と接近する右側にＳ領域３を構成する。この領域内で二つのＮ極は磁性材１７を挟み吸引力に反転しクランク機横８、１４により円形回転体１６兼ハズミ車２６を矢印の方向に回転し、磁石１０は左側Ｓ領域３外に移動し外部固定磁石１のＮ磁極との反発力が左側に発生する。この反発力をクランク機構により回転体１６兼ハズミ車２６に伝え矢印の方向に回転する。即ちＳ領域３を設ける構成により右側で吸引力が生じ、左側で反発力となるサイクルを繰り返し力学的エネルギーに変換する。またクランクシャフト８部分を長い単極の磁極（Ｓ極）としてコイル７で囲い請求項２記載の方法により磁力を電気エネルギーに変換する。またＳ領域を円周に複数個所設けて実施化する。【０００２０】  実施例３、図３、図４（図３の部分拡大図）に於て説明する。磁気冷凍作業物質１１と熱反応作業物質１２等により構成した熱反応複合磁性材１９を断熱５し移動体として、超電導磁石２５または強力な永久磁石の強磁場内において、まず磁気冷凍作業物質１１（一例、ガドリニウム等）を磁化し磁気スピン配向変化による温度上昇を起こし、この熱を隣接する熱反応作業物質１２等のキュリー温度近傍に伝え磁気作用を弱めた後、熱反応複合磁性材１９を容易に強磁場外に移動し磁気冷凍作業物質１１を断熱消磁状態にして、熱反応複合磁性材１９を元の低温度状態に戻し磁気作用を復活させ、次の強磁場内２５に吸引移行し同じサイクルを継続する。この移動過程において熱反応複合磁性材１９は強磁場の入口部分では発熱現象が遅れるため温度が低く磁気作用が強く作用し、出口部分に於ては発熱状態が持続しているため温度が高く磁気作用が弱く作用する。入口と出口部分において磁気的落差を維持継続するよう移動速度を調節２０し、強磁場内を一方向に連続的に移動させる。また磁場入口側は強い単極磁場、出口側は弱い単極磁場となる、この磁場をコイル７で囲い請求項２記載の方法により電気エネルギーに変換する。【０００２１】  上記の様に、熱反応複合磁性材１９に磁気的落差を発生させ速度調整２０して強磁場内を移動する。熱反応複合磁性材１９を構成する二つの磁性材のうち磁気冷凍作業物質１１の有効温度幅を０〜６０℃の範囲にする、��の温度幅以外の設定も可能であり、熱反応作業物質１２のキュリー温度（２０℃）は磁気冷凍作業物質１１の温度変化の幅に合わせて設定する。また熱反応作業物質１２と磁気冷凍作業物質１１は磁性材１９内部の蓄熱体としての機能性を併せて持ち、磁気冷凍作業物質１１と組合わせて構成した熱反応複合磁性材１９はこれら素材の配分において、温度変化と磁気変化に対応するよう自由に構成する。また熱反応複合磁性材１９は磁気冷凍作業物質１１単体でも効率を無視すればこの変換法は可能である。【０００２２】  熱変化によく反応する構造として磁気冷凍作業物質１１と熱反応作業物質１２をそれぞれを薄く板状または凹凸、波状にして密着、または各粉体を任意に混合構成し変換目的に対応する。また、この構成に外部の冷凍サイクルなどの温熱、冷熱、また廃熱等を与えて変換することも可能であり、変換効率は主に温度差による磁気作用の落差、即ち磁力（強度因子）と熱移動の速さ（容量因子）によって示される。【０００２３】  実施例４、図６において、強い磁石１の磁極、例えばＮ極に長い珪素鋼材等の軟質磁性材１７を付けると、接触部分に磁極Ｓ極が発生し吸着するが、長い磁性材１７は全体的に磁石１の極性と同じＮ極になる。又はＮ極とＮ極の間に長い磁性材１７の両端を密着させ単極のＮ極を構成し、磁極側面から垂直方向に放射状の磁束を出して磁場を作り、この磁極をコイルで囲む、この筒状コイルを磁性材で囲み、またコイル中に磁性材を付加し、磁極に添ってコイル７を平行移動するか、又は磁極を平行移動するとコイル７に電磁誘導による直流の起電力が発生し、電流が流れるとコイル７が磁場を作り自己インダクタンスを増やす、この方法はコイル全体が常に単極磁場中の磁束と鎖交状態にあり、僅少の平行移動に於て大きな起電力を発生する。また単極の磁極構成によるコイルのスライド方法はフレミングの右手と左手の法則を同時に作用させる方法と構成であり、力の作用方向が相殺しコイル又は磁極の平行移動における抵抗（仕事量）が非常に小さく、従来のコイルが磁束を短時間に鎖交し発電する方法と違い低速運転でも効率よい発電方法となり、従来の数分の一の小エネルギーによる運転を可能にした。発明はコイルの左巻き、右巻き、移動速度などを組合わせ、容易に直流、交流、周波数の設定ができる。また図７に示すように、長い半円形の単極磁場１７をコイル７で囲い構成し、該磁極の回転移動を回転駆動体２３により起こし発電する。この発電方法を前記、請求項１、３、４記載の変換方法と組合わせて磁力を力学的エネルギー、電気エネルギーに変換する。
【図面の簡単な説明】
【０００２４】
【図１】  冷媒を用いた実施例を示す断面図
【図２】  吸引力と反発力を用いた実施例を示す平面図
【図３】  磁気冷凍作業物質を用いた変換方法を示す略図
【図４】  熱反応複合磁性材の構成図
【図５】  発明のサイクルと逆カルノーサイクルの比較図
【図６】  単極の磁極とコイルの平行移動を示す略図
【図７】  長い単極磁極を円形に構成し回転発電を示す略図
【符号の説明】
【０００２５】１    磁石（強磁場）
２    複合磁極
３    Ｓ領域
４    冷媒
５    断熱材
６    ベアリング
７    コイル
８    クランクシャフト
９    ストッパー
１０  回転体の磁石
１１  磁気冷凍作業物質
１２  熱反応作業物質
１３  孔
１４  クランク軸
１５  回転軸
１６  円形回転体
１７  磁性材（軟質磁性材、フェライト）
１８  固定コイル
１９  熱反応複合磁性材
２０  速度調整器
２１  逆カルノーサイクル
２２  発明のサイクル
２３  磁極を回転させる駆動体
２４  Ｏ磁極（Ｎ極）
２５  強磁場（超電導磁石）
２６  ハヅミ車
２７  波状構成
２８  断熱系
Ｎ  Ｎ極
Ｓ  Ｓ極
【図１】
2006034081.tif 000003
【図２】
2006034081.tif 000004
【図３】
2006034081.tif 000005
【図４】
2006034081.tif 000006
【図５】
2006034081.tif 000007
【図６】
2006034081.tif 000008
【図７】
2006034081.tif 000009